(57)【要約】【課題】人体検知センサに対して必要な検知領域及び感度を有しているか否かを検査することができる人体検知センサの検査装置を提供する。【解決手段】所定の検知領域における人の在否を検知する人体検知センサを検査するための検査装置は、雰囲気温度に対して所定の温度差を有する定温体を人体検知センサに対し相対移動させて、定温体から放射された赤外線が赤外線遮蔽体１に設けられた複数の開口部９ａ、９ｂ、９ｃ、９ｄを通過すると、赤外線を減衰し、判定手段が人体検知センサの出力値と第１及び第２の閾値と比較し、出力値が第１の閾値以上、かつ第２の閾値以下の場合に、判定手段は、人体検知センサが上記所定の検知領域における人の在否を検知することができることを示す判定結果を出力手段に出力する。【選択図】図１
2010185668.tif 000002
【特許請求の範囲】
【請求項１】
所定の検知領域における人の在否を検知する人体検知センサを検査するための検査装置であって、
雰囲気温度に対して所定の温度差を有し、前記人体検知センサに対し相対移動可能な定温体と、
前記定温体と前記人体検知センサとの間に介装されて前記定温体から放射された赤外線を遮蔽するとともに、複数の開口部が形成された赤外線遮蔽体と、
前記複数の開口部から進入しようとする赤外線を減衰する手段と、
前記赤外線遮蔽体に対し前記人体検知センサを位置決めする位置決め手段と、
前記人体検知センサに電気的に接続され、前記人体検知センサの出力値を第１及び第２の閾値と比較して判定する判定手段と、
前記判定手段の判定結果を出力する出力手段とを備え、
前記複数の開口部は、前記所定の検知領域の周縁部近傍の複数の部位と前記人体検知センサとを結ぶ直線上に配置され、
前記定温体を前記各開口部に対向させて前記定温体から放射された赤外線が前記各開口部を通過すると、前記判定手段は、前記人体検知センサの出力値を前記第１及び第２の閾値と比較し、前記出力値が前記第１の閾値以上、かつ前記第２の閾値以下の場合に、前記判定手段は、前記人体検知センサが前記所定の検知領域における人の在否を検知することができることを示す前記判定結果を前記出力手段に出力することを特徴とする検査装置。
【請求項２】
前記複数の部位は、前記所定の検知領域の周縁部近傍の対角の位置とする、請求項１に記載の検査装置。
【請求項３】
前記所定の検知領域が略矩形を呈し、
前記複数の部位は、前記略矩形の４隅の位置とする、請求項１に記載の検査装置。
【請求項４】
前記開口部の最大数は、前記人体検知センサを構成するフレネルレンズが有する面数と同数である、請求項１に記載の検査装置。
【請求項５】
前記定温体は、ペルチェ素子で構成される、請求項１に記載の検査装置。
【請求項６】
前記位置決め手段は、前記赤外線遮蔽体に設けられている前記人体検知センサの位置決め用開口部である、請求項１に記載の検査装置。
【請求項７】
前記人体検知センサが空気調和機の室内機に取り付けられるものである請求項１から６のいずれか１項に記載の検査装置。
【発明の詳細な説明】
【技術分野】
【０００１】
本発明は、人の在否や所在位置を検知する人体検知センサが設計時に設定された領域通りの人体検知領域及び感度を有しているかを検査する検査装置に関するものである。
【背景技術】
【０００２】
従来、人体、自動車または工作物の存在位置を検知することにより自動ドアの開閉制御や防犯警報装置の起動制御または駐車場の整理或いは空気調和機、照明灯、工場の生産ライン等の自動制御等に利用できる物体存在位置検知装置は、所定の検知領域を複数の単位領域に区画し、各単位領域に個々に対応させて複数個の物体検知器を対設することで、物体の存在位置を検知するものが一般に採用されている。
【０００３】
また、複数の赤外線センサを設け、互いの検知領域の一部を重複させることにより赤外線センサの個々の検知領域に加えて重複領域をもそれぞれ検出し、赤外線センサの個数を越える領域の被検出体の有無の検出を可能とするものがあった（例えば、特許文献１参照）。
【０００４】
また、各単位領域からの光が１個の赤外線センサに入射するよう構成する一方、各入射光の透過、遮断機能を有するとともに透過する入射光を順次切り換えていく切換機構を設けた物体存在位置検知装置が提案されている。
【特許文献１】特開平２−１３４５９３号公報
【発明の開示】
【発明が解決しようとする課題】
【０００５】
しかしながら、前記記載の物体存在位置検知装置は、公差の大きな部品の組み合わせや組み立て不良等によって検知領域が設計時に設定された領域と異なってしまう課題を有している。
【０００６】
また、赤外線センサの感度が悪く、前記赤外線センサの出力値が低い場合、検知しようとするものが検知出来ないという課題を有している。
【０００７】
また、複数の赤外線センサを用いた物体位置検知装置において、各々の赤外線センサの感度が異なり、同一の物体に対して各々の赤外線センサの出力値が異なる場合、判別しようとする検知位置を誤検知するという課題を有している。
【０００８】
また、物体から放射される赤外線を減衰させる手段を有しない赤外線センサにおいて、前記赤外線センサが検知しようとする領域に対し非常な至近距離で、検知しようとする物体を移動させた場合、出力値が高くなりすぎ適正な感度を有しているかを判定するのが難しいという課題を有している。
【０００９】
本発明は、前記従来の課題を解決するもので、前記従来の課題を解決するもので、人体検知センサに対して所定の検知領域を正確に検知し、適正な感度を有しているか否かを検査することができる人体検知センサの検査装置を提供することを目的とする。
【課題を解決するための手段】
【００１０】
前記従来の課題を解決するために、本発明の人体検知センサの検査装置は、所定の検知領域における人の在否を検知する人体検知センサを検査するための検査装置であって、雰囲気温度に対して所定の温度差を有し、前記人体検知センサに対し相対移動可能な定温体
と、前記定温体と前記人体検知センサとの間に介装されて前記定温体から放射された赤外線を遮蔽するとともに、複数の開口部が形成された赤外線遮蔽体と、前記複数の開口部から進入しようとする赤外線を減衰する手段と、前記赤外線遮蔽体に対し前記人体検知センサを位置決めする位置決め手段と、前記人体検知センサに電気的に接続され、前記人体検知センサの出力値を第１及び第２の閾値と比較して判定する判定手段と、前記判定手段の判定結果を出力する出力手段とを備え、前記複数の開口部は、前記所定の検知領域の周縁部近傍の複数の部位と前記人体検知センサとを結ぶ直線上に配置され、前記定温体を前記各開口部に対向させて前記定温体から放射された赤外線が前記各開口部を通過すると、前記判定手段は、前記人体検知センサの出力値を前記第１及び第２の閾値と比較し、前記出力値が前記第１の閾値以上、かつ前記第２の閾値以下の場合に、前記判定手段は、前記人体検知センサが前記所定の検知領域における人の在否を検知していることを検査できる。
【発明の効果】
【００１１】
本発明の人体検知センサの検査装置は、雰囲気温度に対して所定の温度差を有する定温体を人体検知センサに対し相対移動させて、定温体から放射された赤外線が赤外線遮蔽体に設けられた複数の開口部を通過すると、赤外線を減衰する手段によって減衰され、判定手段が人体検知センサの出力値と第１及び第２の閾値と比較し、出力値が第１の閾値以上、かつ第２の閾値以下の場合に、判定手段は、人体検知センサが前記所定の検知領域における人の在否を検知することができることを示す判定結果を出力手段に出力する構成が採用されているので、所定の検知領域における人の在否を検知する人体検知センサが所定の検知領域を正確に検知し、適正な感度を有していることを検査することができる。
【発明を実施するための最良の形態】
【００１２】
第１の発明は雰囲気温度に対して所定の温度差を有する定温体を人体検知センサに対し相対移動させて、定温体から放射された赤外線が赤外線遮蔽体に設けられた複数の開口部を通過すると、赤外線を減衰する手段によって減衰され、判定手段が人体検知センサの出力値と第１及び第２の閾値と比較し、出力値が第１の閾値以上、かつ第２の閾値以下の場合に、判定手段は、人体検知センサが前記所定の検知領域における人の在否を検知することができることを示す判定結果を出力手段に出力することにより、所定の検知領域における人の在否を検知する人体検知センサが所定の検知領域を正確に検知し、適正な感度を有していることを検査することができる。
【００１３】
第２の発明は、特に、第１の発明の人体検知センサの検査装置において、上記複数の部位が上記所定の検知領域の周縁部近傍の対角の位置とすることにより、検査する開口部が少ないので、容易に、人体検知センサが所定の検知領域を正確に検知し、適正な感度を有していることを検査することができる。
【００１４】
第３の発明は、特に、第１の発明の人体検知センサの検査装置において、上記所定の検知領域が略矩形を呈し、上記複数の部位が上記略矩形の４隅の位置とすることにより、４隅の部位のそれぞれに対応する開口部を検査することで、容易に、かつ的確に、人体検知センサが所定の検知領域を正確に検知し、適正な感度を有していることを検査することができる。
【００１５】
第４の発明は、特に、第１の発明の人体検知センサの検査装置において、上記開口部の最大数が上記人体検知センサを構成するフレネルレンズが有する面数と同数であることにより、より一層、人体検知センサが所定の検知領域を正確に検知し、適正な感度を有していることを検査することができる。
【００１６】
第５の発明に記載の検査装置は、特に、第１の発明の人体検知センサの検査装置において、定温体がペルチェ素子で構成されることにより、雰囲気温度に対して所定の温度差を
有する制御を、管理が容易で安価に実現させることができる。
【００１７】
第６の発明に記載の検査装置は、特に、第１の発明の人体検知センサの検査装置において、上記位置決め手段が上記赤外線遮蔽体に設けられている上記人体検知センサの位置決め用開口部であることにより、検査装置の部品点数を減らすことができる。
【００１８】
第７の発明は、特に、第１の発明から第６の発明の人体検知センサの検査装置が空気調和機の室内機に取り付けられる人体検知センサを検査することにより、空気調和機に取り付けられる人体検知センサが所定の検知領域を正確に検知し、適正な感度を有していることを検査することができる。
【００１９】
以下、本発明の実施の形態について、図面を参照しながら説明する。なお、この実施の形態によって本発明が限定されるものではない。
【００２０】
（実施の形態１）
図１は、本発明の実施の形態における人体検知センサ検査装置を構成する赤外線遮蔽体１の模式斜視図であり、図２は、本発明の実施の形態における人体検知センサユニット２、人体検知センサユニット２を構成する人体検知センサ３及び人体検知センサ３が検知しようとする検知領域を示す模式斜視図である。人体検知センサの検査装置は、定温体、赤外線遮蔽体１、位置決め手段、判定手段及び出力手段を備えている。
【００２１】
定温体は、雰囲気温度に対して所定の温度差を有し、人体検知センサユニット２に対し相対移動可能である。定温体は、例えばペルチェ素子又は所定の温度で管理されたヒータなどである。また、本実施の形態では、定温体にペルチェ素子が用いられ、ペルチェ素子の温度は、例えば雰囲気温度が２０℃に対して６０℃に設定されている。
【００２２】
赤外線遮蔽体１は、赤外線を通さない材質で形成され、複数の孔（本発明における開口部）９ａ、９ｂ、９ｃ、９ｄが構成されている。赤外線遮蔽体１は、例えば１０ｃｍ×５０ｃｍ×１６ｃｍ（縦×横×高さ）の略直方体で形成されている。また、図１に示されるように、略直方体の赤外線遮蔽体１は、面４、面５、面６、面７及び面８の５つの面からなる袋状の略直方体で構成されている。つまり、赤外線遮蔽体１の面８の向かい側の面は、開口している。なお、この開口している面側に後述する人体検知センサユニット２が配置される。また、形成される複数の孔９ａ、９ｂ、９ｃ、９ｄについては後述する。
【００２３】
ここで、人体検知センサユニット２の内部の状態を示す模式斜視図を図６に示す。図６に示されるように、人体検知センサユニット２は、複数（例えば５つ）の人体検知センサ３、２６、２８、３０、３４を備えている。また、人体検知センサユニット２は、３つの人体検知センサ３、２６、２８を備えていてもよい。このような人体検知センサユニット２は、例えば空気調和器の室内機に取り付けられ、所定の検知領域において、人の在否を検知する。
【００２４】
また、人体検知センサユニット２に配置される各人体検知センサは、異なる検知範囲を有している。つまり、５つの人体検知センサ３、２６、２８、３０、３４を有する人体検知センサユニット（５つの人体検知センサによるその幅は１５ｃｍ）は、３つの人体検知センサ３、２６、２８を有する人体検知センサユニット（３つの人体検知センサによるその幅は１０ｃｍ）より広範囲（例えば遠方範囲を含んで）で人の在否を検知することができる。なお、本実施の形態では、３つの人体検知センサを備えた人体検知センサユニット２を用いて説明する。
【００２５】
また、図２に示されるように、二点差線で囲まれた領域（矩形９ａ´、９ｂ´、９ｃ´
、９ｄ´）は、１つの人体検知センサ３の検知領域である。つまり、本実施の形態に係る人体検知センサユニット２は、上述したように、人体検知センサを３つ備えているので、人体検知センサユニット２の検知領域は、二点差線で囲まれた領域が横に３つ並んだ領域に相当する。なお、本実施の形態では、人体検知センサユニット２に構成される人体検知センサ３に着目して、以下説明する。
【００２６】
次に、図１及び図２を参照して、赤外線遮蔽体１に構成される孔９ａ、９ｂ、９ｃ、９ｄについて説明する。
【００２７】
また、人体検知センサ３の検知領域は、略矩形９ａ´、９ｂ´、９ｃ´、９ｄ´で構成されている。なお、本実施の形態において、人体検知センサ３の検知領域は、略矩形に限定されず、例えば楕円形、円形又は扇形であってもよい。赤外線遮蔽体１に構成される孔９ａ、９ｂ、９ｃ、９ｄのそれぞれは、所定の検知領域（二点差線で囲まれた略矩形の領域）の周縁部近傍の複数の部位、すなわち略矩形の４隅である９ａ´、９ｂ´、９ｃ´、９ｄ´と人体検知センサ３とを結ぶ直線上に配置されている。つまり、赤外線遮蔽体１の面８には、人体検知センサユニット２が検知しようとする検知領域の端部９ａ´から人体検知センサ３へ赤外線が入射できるよう孔９ａと、人体検知センサユニット２が検知しようとする検知領域の端部９ｂ´から人体検知センサ３へ赤外線が入射できるよう孔９ｂと、人体検知センサユニット２が検知しようとする検知領域の端部９ｃ´から人体検知センサ３へ赤外線が入射できるよう孔９ｃと、人体検知センサユニット２が検知しようとする領域の端部９ｄ´から人体検知センサ３へ赤外線が入射できるよう孔９ｄとがそれぞれ形成される。
【００２８】
また、赤外線遮蔽体１に構成される孔９ａ、９ｂ、９ｃ、９ｄのそれぞれは、例えば矩形に形成され、そのサイズ（縦×横）は、人体検知センサ３の視野範囲のズレ角度許容値を含むように構成される。例えば、人体検知センサ３の横方向のズレ角度許容値は、±２．０°であり、人体検知センサ３の縦方向のズレ角度許容値は、±１．５°である。
【００２９】
また、１つの人体検知センサ３に対して、４つの孔９ａ、９ｂ、９ｃ、９ｄが赤外線遮蔽体１の面８に形成されている。一方、３つの人体検知センサ３、２６、２８を有する人体検知センサユニット２を用いる場合には、孔９ａ、９ｂ、９ｃ、９ｄを含んだ１２個の孔が赤外線遮蔽体１に形成される。この場合、形成される孔は、赤外線遮蔽体１の面８だけではなく、例えば面５又は面７に形成されてもよい。また、本実施の形態では、赤外線遮蔽体１は、例えば板状の平面形状であってもよい。この場合、人体検知センサユニット２の検知領域に対応した大きさであればよい。
【００３０】
また、本実施の形態において、所定の検知領域の周縁部近傍の複数の部位は、略矩形の４隅としているが、略矩形の対角に位置する２カ所であってもよい。
【００３１】
また、赤外線遮蔽体１における面４、面５、面６及び面７を構成する各寸法は、人体検知センサユニット２に対して、適宜選択される。例えば、人体検知センサユニット２を床面に載置して、赤外線遮蔽体１の面４、面５、面６、面７、面８及び床面によって囲まれる空間に人体検知センサユニット２をはめ込んだ際に、赤外線遮蔽体１に対し、人体検知センサユニット２がはずれなければよい。
【００３２】
また、面８の人体検知センサユニット２に対して外側の表面には、赤外線を透過しかつ減衰させる赤外線減衰板１０を設けている。
【００３３】
位置決め手段は、赤外線遮蔽体１に人体検知センサユニット２を固定する。具体的には、位置決め手段は、人体検知センサユニット２を床面に載置して、その上方から赤外線遮
蔽体１を覆うように配置させた際に、赤外線遮蔽体１に設けられた複数の孔９ａ、９ｂ、９ｃ、９ｄのそれぞれが人体検知センサ３に対して所定の位置になるように、人体検知センサユニット２を固定する。また、位置決め手段は、例えば赤外線遮蔽体１に人体検知センサユニット２の突起部を引っかける穴や人体検知センサユニット２に接続されているケーブルを通す切り欠き部などの位置決め用開口部が構成されている。
【００３４】
判定手段は、例えばＲＡＭ（Ｒａｎｄｏｍ  Ａｃｃｅｓｓ  Ｍｅｍｏｒｙ）及びＲＯＭ（Ｒｅａｄ  Ｏｎｌｙ  Ｍｅｍｏｒｙ）などを備えるＣＰＵ（Ｃｅｎｔｒａｌ  Ｐｒｏｃｅｓｓｉｎｇ  Ｕｎｉｔ）で構成されるパーソナルコンピュータである。
【００３５】
また、判定手段は、人体検知センサユニット２と接続されている。つまり、定温体から放射された赤外線が赤外線遮蔽体１に形成された複数の孔を通過して、人体検知センサユニット２が検知すると、その検知に基づいた出力値を判定手段に出力する。これにより、判定手段は、例えばＨＤＤ（Ｈａｒｄ  Ｄｉｓｃ  Ｄｒｉｖｅ）などに格納される閾値と人体検知センサユニット２から出力された出力値を比較して判定する。具体的には、出力された出力値と２つの閾値と比較して判定し、出力値が２つの閾値の中間値である場合には、その結果が後述する出力手段に送られる。
【００３６】
出力手段は、例えば液晶やＥＬ（Ｅｌｅｃｔｒｏｌｕｍｉｎｅｓｃｅｎｃｅ）等を用いたディスプレイで構成され、情報を表示する。具体的には、出力手段は、判定手段によって判定された判定結果を表示する。また、出力手段は、例えばスピーカなどの音声出力部を備え、判定手段によって判定された判定結果を音声で出力してもよい。また、出力手段は、例えば緑色ライトなどの照明装置を備え、判定手段によって判定された判定結果により照明装置が照射されてもよい。
【００３７】
人体検知センサユニット２は、感度が同等の人体検知センサを複数備えている。人体検知センサのそれぞれは、人体から放射される赤外線量の差分を検出して電気信号に変換するセンサ素子と、複数の部分検出エリアに分割され、センサ素子と一対に配設され、このセンサ素子上に焦点を結び赤外線を集光するフレネルレンズとからなる。
【００３８】
ここで、「同等の感度」とは、同等の空調条件において、同一の物体（同一温度）を同一距離で検知した際に、同等の出力が出ることを意味する。この「感度」については、通常、人体検知センサを構成するフレネルレンズの厚みや形状、人体検知センサユニットの保護カバーの厚みや形状、センサ素子等、多くの技術的要因によって変化をするが、各人体検知センサが、同等の感度を有するよう、これら技術的要因を設定するものである。
【００３９】
また、赤外線遮蔽体１に形成される複数の孔は、上述したように、所定の検知領域の周縁部近傍の複数の部位に対応していると説明してきたが、赤外線遮蔽体１に形成される複数の孔は、人体検知センサを構成するフレネルレンズが有する面数と同数またはそれ以下であってもよい。
【００４０】
図３は、本発明の実施の形態における人体検知センサの検査装置で検査しようとする人体検知センサユニット２を載置した状態を、図１に示すＡＡ´断面での側面図として表したものであり、図３（ａ）は、人体検知センサユニット２の検知領域が所定の検知領域である場合を表し、図３（ｂ）は、人体検知センサユニット２の検知領域が所定の検知領域に比べて、上方にずれている場合を表し、図３（ｃ）は、人体検知センサユニット２の検知領域が所定の検知領域に比べて、下方にずれている場合を表している。
【００４１】
図４は、本発明の実施形態における人体検知センサの検査装置で検査しようとする人体検知センサユニット２を設置した状態を、図１に示すＢＢ´断面での側面図として表した
ものであり、図４（ａ）は、人体検知センサユニット２の検知領域が所定の検知領域である場合を表し、図４（ｂ）は、人体検知センサユニット２の検知領域が所定の検知領域に比べて、右側にずれている場合を表し、図４（ｃ）は、人体検知センサユニット２の検知領域が所定の検知領域に比べて、左側にずれている場合を表している。
【００４２】
図３及び図４のように配置された人体検知センサ検査装置における人体検知センサユニット２の検知領域が所定の検知領域に対してのズレ方向について説明する。
【００４３】
人体検知センサユニット２を床面に載置して、赤外線遮蔽体１の面４、面５、面６、面７、面８及び床面によって囲まれる空間に人体検知センサユニット２をはめ込み、赤外線遮蔽体１に対して、人体検知センサユニット２を位置決め手段を用いて固定する。次に、孔９ａ以外の孔から定温体の赤外線が人体検知センサ３へ入射しないように（例えば、赤外線を遮蔽する部材で孔を塞ぐ）して、雰囲気温度との温度差ΔＴａ（＝６０℃−２０℃）が一定に保たれた定温体（ペルチェ素子）の高温面を、孔９ａの上方を通過するように、赤外線遮蔽体１及び赤外線遮蔽体１外側表面に設けられた赤外線減衰板１０を介して赤外線遮蔽体１の面８の表面を人体検知センサユニット２に対して相対移動させる。この時、人体検知センサ３の出力値に変化がみられた場合には、人体検知センサユニット２が定温体の赤外線を検知していることがわかり、人体検知センサユニット２の検知領域が所定の検知領域に対して下方及び右側にずれていないことがわかる（図３（ａ）及び図４（ａ）参照）。逆に、人体検知センサ３の出力値に変化がみられない場合、人体検知センサ３が定温体の赤外線を検知していないことがわかり、人体検知センサユニット２の検知領域が所定の検知領域に対して下方（図３（ｃ）参照）または右側（図４（ｂ）参照）にずれていることがわかる。
【００４４】
次に、孔９ｂ以外の孔から定温体の赤外線が人体検知センサ３へ入射しないようにして、雰囲気温度との温度差ΔＴａが一定に保たれた定温体の高温面を、孔９ｂの上方を通過するように、赤外線遮蔽体１及び赤外線遮蔽体１外側表面に設けられた赤外線減衰板１０を介して赤外線遮蔽体１の面８の表面を人体検知センサユニット２に対して相対移動させる。この時、人体検知センサ３の出力値に変化がみられた場合には、人体検知センサユニット２が定温体の赤外線を検知していることがわかり、人体検知センサユニット２の検知領域が所定の検知領域に対して下方及び左側にずれていないことがわかる（図３（ａ）及び図４（ａ）参照）。逆に、人体検知センサ３の出力値に変化がみられない場合、人体検知センサ３が定温体の赤外線を検知していないことがわかり、人体検知センサユニット２の検知領域が所定の検知領域に対して下方（図３（ｃ）参照）または左側（図４（ｃ）参照）にずれていることがわかる。
【００４５】
次に、孔９ｃ以外の孔から定温体の赤外線が人体検知センサ３へ入射しないようにして、雰囲気温度との温度差ΔＴａが一定に保たれた定温体の高温面を、孔９ｃの上方を通過するように、赤外線遮蔽体１及び赤外線遮蔽体１外側表面に設けられた赤外線減衰板１０を介して赤外線遮蔽体１の面８の表面を人体検知センサユニット２に対して相対移動させる。この時、人体検知センサ３の出力値に変化がみられた場合には、人体検知センサユニット２が定温体の赤外線を検知していることがわかり、人体検知センサユニット２の検知領域が所定の検知領域に対して上方及び右側にずれていないことがわかる（図３（ａ）及び図４（ａ）参照）。逆に、人体検知センサ３の出力値に変化がみられない場合、人体検知センサ３が定温体の赤外線を検知していないことがわかり、人体検知センサユニット２の検知領域が所定の検知領域に対して上方（図３（ｂ）参照）または右側（図４（ｂ）参照）にずれていることがわかる。
【００４６】
次に、孔９ｄ以外の孔から定温体の赤外線が人体検知センサ３へ入射しないようにして、雰囲気温度との温度差ΔＴａが一定に保たれた定温体の高温面を、孔９ｄの上方を通過
するように、赤外線遮蔽体１及び赤外線遮蔽体１外側表面に設けられた赤外線減衰板１０を介して赤外線遮蔽体１の面８の表面を人体検知センサユニット２に対して相対移動させる。この時、人体検知センサ３の出力値に変化がみられた場合には、人体検知センサユニット２が定温体の赤外線を検知していることがわかり、人体検知センサユニット２の検知領域が所定の検知領域に対して上方及び左側にずれていないことがわかる（図３（ａ）及び図４（ａ）参照）。逆に、人体検知センサ３の出力値に変化がみられない場合、人体検知センサ３が定温体の赤外線を検知していないことがわかり、人体検知センサユニット２の検知領域が所定の検知領域に対して上方（図３（ｂ）参照）または左側（図４（ｃ）参照）にずれていることがわかる。
【００４７】
以上の本実施の形態の検査装置を用いての動作を示すフローチャートの流れを図５を用いて説明する。
【００４８】
ＳＰ１において、空調条件を整えて、人体検知センサの検査装置の雰囲気温度を一定にする。雰囲気温度（例えば、２０℃）が一定になった後、ＳＰ２において、人体検知センサユニット２を床面に載置して、赤外線遮蔽体１の面４、面５、面６、面７、面８を有する赤外線遮蔽体１が人体検知センサユニット２の上部から覆うように配置される。次に、位置決め手段を用いて、赤外線遮蔽体１に対して、人体検知センサユニット２を固定する。
【００４９】
ＳＰ３において、孔９ａ以外の孔から定温体の赤外線が人体検知センサ３へ入射しないように（例えば、赤外線を遮蔽する部材で孔を塞ぐ）して、雰囲気温度との温度差ΔＴａ（＝６０℃−２０℃）が一定に保たれたペルチェ素子（定温体）の高温面を、孔９ａの上方を通過するように、赤外線遮蔽体１及び赤外線遮蔽体１外側表面に設けられた赤外線減衰板１０を介して赤外線遮蔽体１の面８の表面を人体検知センサユニット２に対して相対移動させる。ＳＰ４において、人体検知センサ３の出力値ΔＶａが判定手段に伝送される。次に、判定手段において、出力値に変化がみられた場合には、ＳＰ５へ進む。一方、出力値に変化がみられない場合には、所定の検知領域に比べて、人体検知センサユニット２の検知領域は、下方または右側にずれていると判断することができるので、ＳＰ１５に進んで検知領域不良であると判定手段は判定する。その後、検査を終了する。
【００５０】
ＳＰ５において、人体検知センサ３の出力値ΔＶａが判定手段に格納されている閾値である感度における最小出力値（本発明の第１の閾値）ΔＶｔｈａ及び最大出力値（本発明の第２の閾値）ΔＶｔｈｂに対し、ΔＶｔｈａ≦ΔＶａ≦ΔＶｔｈｂである場合には、ＳＰ６へ進む。一方、人体検知センサ３の出力値ΔＶａがΔＶａ＜ΔＶｔｈａまたはΔＶｔｈｂ＜ΔＶａである場合には、人体検知センサユニット２の感度は、検知しようとする検知領域の端部９ａ´方向において設定された閾値の範囲内の感度に対して、感度不良であると判断することができので、ＳＰ１６に進んで感度不良であると判定手段は判定する。その後、検査を終了する。
【００５１】
ＳＰ６において、孔９ｂ以外の孔から定温体の赤外線が人体検知センサ３へ入射しないようにして、雰囲気温度との温度差ΔＴａが一定に保たれたペルチェ素子の高温面を、孔９ｂの上方を通過するように、赤外線遮蔽体１及び赤外線遮蔽体１外側表面に設けられた赤外線減衰板１０を介して赤外線遮蔽体１の面８の表面を人体検知センサユニット２に対して相対移動させる。ＳＰ７において、人体検知センサ３の出力値ΔＶａが判定手段に伝送される。次に、判定手段において、出力値に変化がみられた場合には、ＳＰ８へ進む。一方、出力値に変化がみられない場合には、所定の検知領域に比べて、人体検知センサユニット２の検知領域は、左側にずれていると判断することができるので（ＳＰ４で既に下方にはずれていないと判断されている為）、ＳＰ１７に進んで検知領域不良であると判定手段は判定する。その後、検査を終了する。
【００５２】
ＳＰ８において、人体検知センサ３の出力値ΔＶａが判定手段に格納されている閾値である感度における最小出力値ΔＶｔｈａ及び最大出力値ΔＶｔｈｂに対し、ΔＶｔｈａ≦ΔＶａ≦ΔＶｔｈｂである場合には、ＳＰ９へ進む。一方、人体検知センサ３の出力値ΔＶａがΔＶａ＜ΔＶｔｈａまたはΔＶｔｈｂ＜ΔＶａである場合には、人体検知センサユニット２の感度は、検知しようとする検知領域の端部９ｂ´方向において設定された閾値の範囲内の感度に対して、感度不良であると判断することができので、ＳＰ１８に進んで感度不良であると判定手段は判定する。その後、検査を終了する。
【００５３】
ＳＰ９において、孔９ｃ以外の孔から定温体の赤外線が人体検知センサ３へ入射しないようにして、雰囲気温度との温度差ΔＴａが一定に保たれたペルチェ素子の高温面を、孔９ｃの上方を通過するように、赤外線遮蔽体１及び赤外線遮蔽体１外側表面に設けられた赤外線減衰板１０を介して赤外線遮蔽体１の面８の表面を人体検知センサユニット２に対して相対移動させる。ＳＰ１０において、人体検知センサ３の出力値ΔＶａが判定手段に伝送される。次に、判定手段において、出力値に変化がみられた場合には、ＳＰ１１へ進む。一方、出力値に変化がみられない場合には、所定の検知領域に比べて、人体検知センサユニット２の検知領域は、上方にずれていると判断することができるので（ＳＰ４で既に右側にはずれていないと判断されている為）、ＳＰ１９に進んで検知領域不良であると判定手段は判定する。その後、検査を終了する。
【００５４】
ＳＰ１１において、人体検知センサ３の出力値ΔＶａが判定手段に格納されている閾値である感度における最小出力値ΔＶｔｈａ及び最大出力値ΔＶｔｈｂに対し、ΔＶｔｈａ≦ΔＶａ≦ΔＶｔｈｂである場合には、ＳＰ１２へ進む。一方、人体検知センサ３の出力値ΔＶａがΔＶａ＜ΔＶｔｈａまたはΔＶｔｈｂ＜ΔＶａである場合には、人体検知センサユニット２の感度は、検知しようとする検知領域の端部９ｃ´方向において設定された閾値の範囲内の感度に対して、感度不良であると判断することができので、ＳＰ２０に進んで感度不良であると判定手段は判定する。その後、検査を終了する。
【００５５】
ＳＰ１２において、孔９ｄ以外の孔から定温体の赤外線が人体検知センサ３へ入射しないようにして、雰囲気温度との温度差ΔＴａが一定に保たれたペルチェ素子の高温面を、孔９ｄの上方を通過するように、赤外線遮蔽体１及び赤外線遮蔽体１外側表面に設けられた赤外線減衰板１０を介して赤外線遮蔽体１の面８の表面を人体検知センサユニット２に対して相対移動させる。ＳＰ１３において、人体検知センサ３の出力値ΔＶａが判定手段に格納されている閾値である感度における最小出力値ΔＶｔｈａ及び最大出力値ΔＶｔｈｂに対し、ΔＶｔｈａ≦ΔＶａ≦ΔＶｔｈｂである場合には、ＳＰ１４へ進む。一方、人体検知センサ３の出力値ΔＶａがΔＶａ＜ΔＶｔｈａまたはΔＶｔｈｂ＜ΔＶａである場合には、人体検知センサユニット２の感度は、検知しようとする検知領域の端部９ｄ´方向において設定された閾値の範囲内の感度に対して、感度不良であると判断することができので、ＳＰ２１に進んで感度不良であると判定手段は判定する。その後、検査を終了する。
【００５６】
ＳＰ１４において、判定手段は、人体検知センサユニット２の検知しようとする検知領域及び感度が所定の検知領域及び感度であると判定して、判定結果を表示手段に伝送する。表示手段は、判定手段によって判定された判定結果を表示する。その後、検査を終了する。
【００５７】
以上のように、本発明の人体検知センサを検査する検査装置は、雰囲気温度に対して所定の温度差を有する定温体を人体検知センサに対し相対移動させて、定温体から放射された赤外線が赤外線遮蔽体に設けられた複数の開口部を通過すると、赤外線を減衰する手段によって減衰され、判定手段が人体検知センサの出力値と第１及び第２の閾値と比較し、
出力値が第１の閾値以上、かつ第２の閾値以下の場合に、判定手段は、人体検知センサが上記所定の検知領域における人の在否を検知することができることを示す判定結果を出力手段に出力する構成が採用されているので、所定の検知領域における人の在否を検知する人体検知センサが検知領域を正確に検知していることを検査することができる。
【００５８】
なお、本実施の形態では、１つの人体検知センサユニット２に１つの人体検知センサ３が存在する場合の検査装置について述べているが、１つの人体検知センサユニット２に複数の人体検知センサが存在する場合であってもよい。この場合においても、複数の人体検知センサに対して、同様の孔を各々設けた赤外線遮蔽体１を用いて、各人体検知赤外線センサについて前記同様の検査を行なえば、前記検査同様の効果が得られる。
【００５９】
また、本実施の形態では、人体検知センサの出力値と２つの閾値とを比較して感度を判別したが、出力値を第１の閾値より大きいか否かのみを判定し、出力値が第１の閾値より大きい場合には、所定の感度を得られたものとしてその結果を出力手段に送ってもよい。
【産業上の利用可能性】
【００６０】
以上のように、本発明に係る人体検知センサの検査装置は、人体検知センサの検知領域範囲及び感度が所定の検知領域における人の在否を検知する人体検知センサが所定の検知領域を正確に検知し、適正な感度を有していることを検査する効果を有し、空気調和機の室内機に取り付けられる人体検知センサが良品又は不良品であるかを正確に区別するたの検査装置などに有用である。
【図面の簡単な説明】
【００６１】
【図１】本発明の実施の形態１における人体検知センサの検査装置を構成する赤外線遮蔽体の模式斜視図
【図２】本発明の実施の形態１における人体検知センサユニット及びその検知領域を示す模式斜視図
【図３】本発明の実施の形態１における人体検知センサの検査装置に人体検知センサを設置した状態の垂直断面図
【図４】本発明の実施の形態１における人体検知センサの検査装置に人体検知センサを設置した状態の水平断面図
【図５】本発明の実施の形態１におけるフローチャート
【図６】本発明の実施の形態１における人体検知センサユニットを示しており、（ａ）は正面図、（ｂ）は側面図、（ｃ）は斜視図
【符号の説明】
【００６２】
１  遮蔽体
２  人体検知センサユニット
３、２６、２８、３０、３４  人体検知センサ
４  面４
５  面５
６  面６
７  面７
８  面８
９ａ  孔ａ
９ｂ  孔ｂ
９ｃ  孔ｃ
９ｄ  孔ｄ
９ａ´  端部ａ´
９ｂ´  端部ｂ´
９ｃ´  端部ｃ´
９ｄ´  端部ｄ´
【図１】
2010185668.tif 000003
【図２】
2010185668.tif 000004
【図５】
2010185668.tif 000005
【図３】
2010185668.tif 000006
【図４】
2010185668.tif 000007
【図６】
2010185668.tif 000008